(57)【要約】【課題】回転清掃体の清掃部材として刷毛を用いた場合、絨毯等の掃除面から掻き出された糸屑や髪の毛が、回転清掃体の刷毛の毛と毛の間に入り込んでしまい、回転清掃体に巻き付いてしまうといった欠点があった。そのため、回転清掃体に巻き付いた糸屑や髪の毛を取り除くためには、使用者がカッターや鋏を使って取り除く必要があり、煩わしいものであった。【解決手段】吸口本体内に、回転清掃体の回転方向に対して奥側が吸込口側に向かって傾斜したリブを設け、該リブは前記回転清掃体の回転時、該回転清掃体の外周に設けた清掃部材と接するようにした。【選択図】図１
2008000382.tif 000002
【特許請求の範囲】
【請求項１】
下面に開口部を有する下ケースに上ケースを被着して形成した吸口本体と、該吸口本体の内部に形成された吸込口と、前記吸口本体に取り付けられ前記吸込口と連通する吸口継手と、前記吸口本体内に配置された回転清掃体と、該回転清掃体を駆動する駆動手段を有する電気掃除機の吸口体において、
前記吸口本体内には、前記回転清掃体の回転方向に対して前方側が前記吸込口側に向かって傾斜したリブを設け、該リブは前記回転清掃体の回転時、該回転清掃体の外周に設けた清掃部材と接することを特徴とする電気掃除機の吸口体。
【請求項２】
請求項１において、
前記清掃部材は刷毛部材で構成されたことを特徴とする電気掃除機の吸口体。
【請求項３】
電動送風機を収容する掃除機本体と、該掃除機本体に接続されたホースと、該ホースに接続された手元操作部と、該手元操作部に接続された延長管と、該延長管に接続された吸口体とを備えた電気掃除機において、
前記吸口体は、
下面に開口部を有する下ケースに上ケースを被着して形成した吸口本体と、該吸口本体の内部に形成された吸込口と、前記吸口本体に取り付けられ前記吸込口と連通する吸口継手と、前記吸口本体内に配置された回転清掃体と、該回転清掃体を駆動する駆動手段を有し、
前記吸口本体内には、前記回転清掃体の回転方向に対して前方側が前記吸込口側に向かって傾斜したリブを設け、該リブは前記回転清掃体の回転時、該回転清掃体の外周に設けた清掃部材と接することを特徴とする電気掃除機。
【請求項４】
請求項３において、
前記清掃部材は刷毛部材で構成されたことを特徴とする電気掃除機。
【発明の詳細な説明】
【技術分野】
【０００１】
本発明は、回転清掃体を備えた電気掃除機の吸口体及びこの吸口体を用いた電気掃除機に関する。
【背景技術】
【０００２】
一般的な電気掃除機は、床面上の塵埃を吸口体から吸い込み、この吸口体に接続された延長管，ホース等を介して掃除機本体の集塵部に導くように構成されている。吸口体には床面上の塵埃を効率良く掻き上げるために、電動機等の駆動手段で駆動される回転清掃体が設けられている。このような電気掃除機は例えば特許文献１（特開２０００−166826号公報）に記載されている。
【０００３】
この特許文献１には、底面に開口した吸込口４と、この吸込口４内部に設けられた回転清掃体１３と、吸込口４内に設けた吸気口８とを備え、吸込口４内に、吸気口８側に向って傾斜したガイドリブ１８を設けた技術が開示されている。そして、回転清掃体１３の塵埃掻き揚げ体１７外周に巻き付いた糸ごみ，綿ごみ等の塵埃は塵埃掻き揚げ体１７に巻き付いた後、ガイドリブ１８に当たると糸ごみ，綿ごみ等の塵埃に分力が働きガイドリブ
１８の傾斜に沿いながら複数個のガイドリブ１８を移動し、吸気口８まで移動した後この吸気口８から集塵室７に捕集される。特許文献１では、塵埃掻き揚げ体１７を毛からなるブラシあるいはリップ等からなる帯状体で構成することが開示されているが、特に塵埃掻き揚げ体１７を毛からなるブラシで構成した場合、糸や髪の毛といった塵埃を吸い込むと、糸や髪の毛がブラシの毛の間に入り込んでブラシの毛の根元まで達し、糸や髪の毛が回転清掃体１３に絡み付くといった欠点があった。
【０００４】
この課題を解決するために例えば特許文献２（特開２００５−１３５２５号公報）のような技術が提案されている。この特許文献２には、回転ブラシ（回転清掃体）４の芯体７の外周に帯状のブラシ体８を設け、このブラシ体８の根元部を帯状の塩化ビニルで構成し、先端部を帯状のフェルトで構成した技術が開示されている。特許文献２では、ブラシ体８を帯状の塩化ビニル及び帯状のフェルトで構成することにより、髪の毛や糸くずがブラシ体８に入り込むのを防止し、回転ブラシ４への巻き付きを防止するようにしている。
【０００５】
【特許文献１】特開２０００−１６６８２６号公報
【特許文献２】特開２００５−１３５２５号公報
【発明の開示】
【発明が解決しようとする課題】
【０００６】
近年の住宅は、絨毯，畳，フローリングといったように様々な種類の掃除面が存在する。このような掃除面を効率よく掃除するためには、刷毛を用いた回転清掃体が使用されるようになってきた。特に絨毯上に落ちている糸屑や髪の毛は、絨毯の毛と毛の間に入り込んでしまうと電気掃除機の吸引力だけでは吸い込むことが難しい。そこで、絨毯上を掃除する場合、回転清掃体を備えた吸口体に有効である。回転清掃体の外周に設けられた清掃部材としては、特許文献１及び２に記載されたようなブレード・帯状のフェルト・刷毛等が用いられるが、上述したように絨毯の毛と毛の間に入り込んだ糸屑や髪の毛を取り除くためには、刷毛部材が有効である。この刷毛部材は、刷毛が連続して設けられており、この刷毛が絨毯の毛と毛の間に入り込んで、絨毯の毛と毛の間に入り込んだ糸屑や髪の毛を掻き出すように作用する。
【０００７】
しかしながら、回転清掃体の清掃部材として刷毛を用いた場合、絨毯等の掃除面から掻き出された糸屑や髪の毛が、回転清掃体の刷毛の毛と毛の間に入り込んでしまい、回転清掃体に巻き付いてしまうといった欠点があった。そのため、回転清掃体に巻き付いた糸屑や髪の毛を取り除くためには、使用者がカッターや鋏を使って取り除く必要があり、煩わしいものであった。
【０００８】
本発明の目的は上記課題を解決するためになされたものであり、回転清掃体への糸屑や髪の毛の巻き付きを防止する電気掃除機の吸口体及びこの吸口体を用いた電気掃除機を提供することにある。
【課題を解決するための手段】
【０００９】
上記目的を達成するために本発明の特徴とするところは、下面に開口部を有する下ケースに上ケースを被着して形成した吸口本体と、該吸口本体の内部に形成された吸込口と、前記吸口本体に取り付けられ前記吸込口と連通する吸口継手と、前記吸口本体内に配置された回転清掃体と、該回転清掃体を駆動する駆動手段を有する電気掃除機の吸口体において、前記吸口本体内には、前記回転清掃体の回転方向に対して前方側が前記吸込口側に向かって傾斜したリブを設け、該リブは前記回転清掃体の回転時、該回転清掃体の外周に設けた清掃部材と接することにある。
【発明の効果】
【００１０】
本発明によれば、回転清掃体への糸等の巻き付きを防止することができる。
【発明を実施するための最良の形態】
【００１１】
以下、本発明に係る実施例を添付の図面を用いて説明する。
【実施例１】
【００１２】
図２は本発明の一実施例に係る電気掃除機の外観斜視図である。図２において、２０１は吸引力を発生させる電動送風機、及びこの電動送風機の吸引力で集塵した塵埃を収容する集塵部を備えた掃除機本体である。２０２は一端側が掃除機本体２０１の集塵部と連通するように接続されたホースであり、２０３は一端側がホース２０２の他端側と接続された手元操作部である。この手元操作部２０３には電動送風機を運転・停止を行う操作スイッチ２０４が設けられている。２０５は一端側が手元操作部２０３の他端側と接続された伸縮可能な延長管である。２０６は延長管の他端側に接続され、床面等の塵埃を吸い込む吸口体である。
【００１３】
次に本発明に係る吸口体の構成を図１，図３及び図４を用いて説明する。
【００１４】
図１は本発明の一実施例に係る吸口体２０６の上面図であり、図３は吸口体２０６の分解斜視図であり、図４は吸口体２０６の下面図である。
【００１５】
本実施例では、使用者から見て、使用者が手元操作部２０３を握って吸口体２０６を押す方向を前側（前方），吸口体２０６を使用者側へ引き寄せる方向を後側（後方）と定義する。
【００１６】
１０１は吸口体の下部分を形成する下ケース、１０２は下ケース１０１の上部に被着された上ケースであり、下ケース１０１と上ケース１０２とで吸口本体を構成している。
１０３は吸口本体の後方に取り付けられ、内部に空気の流路が形成された吸口継手である。吸口継手１０３には回動軸１０３ａが形成されており、この回動軸１０３ａを後述する電動機カバー１０９を介して下ケース１０１と上ケース１０２とで挟み込んで取り付けることにより、吸口継手１０３が吸口本体に対して上下方向に回動可能となる。また、下ケース１０１と上ケース１０２との間には、吸口本体内の気密を保持するとともに、吸口体２０６が家具等に衝突したとき、家具への傷付きと吸口体２０６への衝撃を吸収するためのバンパー１０４が設けられている。このバンパー１０４はゴム等の弾性体で構成されている。下ケース１０１には下面（掃除面）に開口した開口部１０５が形成され、この開口部１０５の後方には吸口継手１０３の内部流路に連通する吸込口１０６が形成されている。１０７は開口部１０５に望むように配置された回転清掃体、１０８は回転清掃体１０７を回転駆動する駆動手段としての電動機、１０９は電動機１０８の駆動力を回転清掃体
１０７へ伝達する伝達手段としてのベルトである。なお、駆動手段は電動機１０８に限らず、電動送風機の吸引力で回転力を得るエアータービンでも良く、必要に応じて適宜選択すれば良い。
【００１７】
１０９は電動機１０８の上部を覆うと共に、吸込口１０６と吸口継手１０３の流路とを繋ぐ電動機カバーである。１１０は回転清掃体１０７の両端の軸を支える軸受カバーである。１１１は吸口体２０６を移動させるために吸口本体の下面側に設けられた前車輪、
１１２は吸口本体の下面側に設けられた後車輪である。１１３は掃除面との接触した場合に電動機１０８への通電を行い、掃除面から離れた場合に電動機への通電を遮断する掃除面検知手段である。
【００１８】
上ケース１０２には、その前方に上面開口部１０２ａが形成されている。１１４はこの上面開口部１０２ａを塞ぐ窓板である。この窓板１１４は透明若しくは半透明の材料で構成されており、吸口体２０６を上面から見て回転清掃体１０７の状態が目視できるようになっている。
【００１９】
次に本発明の構成について説明する。
【００２０】
本発明の吸口体２０６には、複数のリブ１２０（１２０ａ，１２０ｂ）が設けられている。このリブ１２０ａ，１２０ｂは回転清掃体１０７の上方で、かつ吸込口１０６に対して左右に分かれて配置されている。またこの複数のリブ１２０ａ，１２０ｂは、図１及び図４に示すように吸口体２０６の前方側（図中で下側）が吸込口１０６側に傾斜するように配置されている。本実施例におけるリブ１２０ａ，１２０ｂは、図３に示すように取り付けられている。このリブ１２０ａ，１２０ｂは、後述する回転清掃体１０７との関係において、回転清掃体１０７の回転方向に対しリブ１２０ａ，１２０ｂの前方側を吸込口
１０６側に傾斜させて配置させている。図３において、下ケース１０１の回転清掃体107が配置される部分の上面には、下ケース上面開口部３０１が形成されている。この下ケース上面開口部３０１は、吸口体２０６を上面から見て、上ケース１０２の上面開口部102a及び窓板１１４と重なる位置に形成されている。そして、使用者は窓板１１４と下ケース上面開口部３０１を通して、吸口体２０６の内部に配置された回転清掃体１０７の状態を目視することができる。また開口部３０１の前後には、吸口本体の左右に渡って前側梁
３０２と、後側梁３０３とが形成されている。そして、リブ１２０ａ，１２０ｂは、下ケース上面開口部３０１を跨ぎ、前側梁３０２と後側梁３０３とを接続するように設けられている。
【００２１】
本実施例のように下ケース１０１に、下ケース上面開口部３０１を形成した場合、吸口体２０６の前側から強い衝撃力が加わると、前側梁３０２が下ケース上面開口部３０１側に撓んで破損する虞がある。本実施例では、下ケース上面開口部３０１を跨いで前側梁
３０２と後側梁３０３とを接続するリブ１２０ａ，１２０ｂを設けるようにしているので、前側梁３０２の強度を補強し、前側梁３０２の破損を防止することができる。しかもリブ１２０ａ，１２０ｂは傾斜して配置されているので、吸口体２０６の前側から強い衝撃力が加わった場合、リブ１２０ａ，１２０ｂが撓んで衝撃力を吸収する働きをし、前側梁３０２の破損を防止することができる。
【００２２】
次に図５を用いて、リブ１２０ａ，１２０ｂと回転清掃体１０７との関係について説明する。図５は図１におけるＡ−Ａ断面図である。
【００２３】
回転清掃体１０７はアルミニウム，樹脂等の剛性のある材料で構成された回転基部130と、この回転基部１３０の外周に設けられた刷毛部材１３１と、回転基部１３０の外周に設けられ刷毛部材１３１と刷毛部材１３１との間に配置されたブレード１３２とより構成されている。
【００２４】
刷毛部材１３１は、刷毛が回転基部１３０の軸方向（長手方向）に沿って連続して配置されることで構成される。またブレード１３２は塩化ビニル，ゴム等で弾性力のある部材で構成されている。
【００２５】
このような構成において、回転清掃体１０７は図５の矢印で示す方向に回転する。本実施例では、吸口体２０６が前方に移動する力が働くような方向に回転清掃体１０７が回転している。回転清掃体１０７の刷毛部材１３１は、矢印に示すごとく回転し、回転清掃体１０７の上部に配置され、吸口体２０６の上部から下方（回転清掃体１０７側）の向かって突出したリブ１２０ａと接触する。リブ１２０ａの刷毛部材１３１と接する部分は回転清掃体１０７の外周部に沿うようにリブの長手方向の中央部が上方に向かって凹むように湾曲した湾曲部１４０が形成されている。このように湾曲させることにより、回転清掃体１０７に必要以上の抵抗（負荷）を与えることがなく、回転清掃体１０７の回転力低下を極力小さくし、塵埃の掻き揚げ性能を維持することができる。またリブ１２０ａの後方側の端部１４１は面取りを施した円弧形状としている。これにより、回転清掃体１０７の刷毛部材１３１がリブ１２０ａと接触する際、刷毛部材１３１がリブ１２０ａに引っかかるのを防止し、刷毛部材１３１の損傷を防止することができる。さらに糸屑や髪の毛がリブ１２０ａの端部１４１に引っかかるのを防止できる。本実施例ではリブ１２０ａについて説明したが、リブ１２０ｂも同様に作用する。
【００２６】
次に図７を用いて、リブ１２０ａ，１２０ｂによる回転清掃体１０７へ糸絡みを防止する作用について説明する。
【００２７】
図７は回転清掃体１０７とリブ１２０ａ，１２０ｂとの関係を示す斜視図である。図中の矢印は回転清掃体１０７の回転方向を示している。図７において、回転清掃体１０７の回転中心より上側は、手前側（図７における下方側）から奥側（図７における上方側）に向かって回転している。このことから、図７は吸口体２０６の斜め後方から見た状態における図であることが理解できる。なお、図７では、作用を判りやすく説明するために、ブレード１３２を省略している。またリブ１２０ａ，１２０ｂもそれぞれ左右に２本ずつとした。
【００２８】
電気掃除機を運転させると電動送風機により吸引力が発生し、吸口体２０６から塵埃が吸い込まれると共に、吸口体２０６の回転清掃体１０７が電動機１０８により駆動され回転を始める。回転清掃体１０７が回転すると、回転清掃体１０７の刷毛部材１３１が傾斜して配置されたリブ１２０ａ，１２０ｂに接触する。そして、下ケース１０１下面の開口部１０５から吸い込まれた糸屑１５０は、回転清掃体１０７に回転方向に沿って矢印のように搬送される。この状態において、リブ１２０ａ，１２０ｂが設けられていない場合、糸屑１５０は回転清掃体１０７に巻き付く。この巻き付きが二重三重となると、強く回転清掃体１０７に巻き付いてしまう。特に清掃部材として刷毛を用いた回転清掃体では顕著である。本実施例では、回転清掃体１０７に刷毛部材１３１と接触するリブ１２０ａ，
１２０ｂが設けられているので、吸い込まれた糸屑１５０は回転清掃体１０７に巻き付く前にリブ１２０ａ，１２０ｂの側面に当たり、向きが変更される。このリブ１２０ａ，
１２０ｂは吸込口１０６に向かって傾斜しているので、糸屑１５０も吸込口１０６に向かうようになる。さらに、このリブ１２０ａ，１２０ｂは複数並んで設けられているので、並んで設けられたリブに沿って糸屑１０５が吸込口１０６の位置まで搬送される。そして、吸込口１０６から掃除機本体２０１の集塵部へと搬送される。隣り合うリブ１２０ａ，１２０ｂの間隔は、例えば図１に示すように、吸口体２０６を上面から見て回転清掃体
１０７の軸方向と直交する方向において隣り合うリブが重なるように配置すると良い。すなわち、図１において、回転清掃体１０７の軸方向と直交する垂線Ｃ上に隣り合うリブ
１２０ｂの一部が重なるような間隔にリブ１２０ｂを配置する。リブ１２０ａも同様である。また、リブ１２０ａ，１２０ｂの取り付け角度は、回転清掃体１０７の軸方向に対して略４５°程度とするのが良い。回転清掃体１０７の軸方向に対する角度が４５°より小さくなると、回転清掃体１０７との接触抵抗が増え、回転清掃体１０７の回転力が弱まる。逆に回転清掃体１０７の軸方向に対する角度が４５°より大きくなると、回転清掃体
１０７に巻き付こうとする糸屑等の向きを変更させる角度が小さくなり、リブの効果が弱くなり、回転清掃体１０７に糸屑等が巻き付きやすくなる。よって、回転清掃体１０７の軸方向に対する角度は略４５°程度とするのが好ましい。
【００２９】
図７に戻り、さらに本実施例の作用を説明する。
【００３０】
刷毛部材１３１はリブ１２０ａ，１２０ｂに接触すると、接触した部分の刷毛が倒れる。刷毛が倒れると、刷毛の毛と毛の間に隙間ができ、刷毛に巻き付いた糸屑や髪の毛等が取れやすくなる。そして、回転清掃体１０７が回転しているので、回転清掃体１０７の外周方向に遠心力が働き、刷毛に巻き付いた糸屑や髪の毛等が遠心力とともに回転清掃体
１０７の外周側へと移動する。回転清掃体１０７の外周側へと移動した糸屑や髪の毛等はリブ１２０ａ，１２０ｂと接触し、上述したようにも吸込口１０６へと導かれる。
【００３１】
本実施例では、リブ１２０ａ，１２０ｂが刷毛部材１３１と接触して刷毛の毛と毛の間に隙間を作るようにしているので、刷毛に巻き付いた糸屑や髪の毛等が取れやすくなる。
【００３２】
また、刷毛部材１３１はリブ１２０ａ，１２０ｂに接触することにより、接触した部分の刷毛が吸込口１０６側へ倒れる。この回転清掃体１０７は回転しているため、刷毛部材
１３１は倒れる動作と起き上がる動作を交互に繰り返す。この連続動作が刷毛に巻き付いた糸屑や髪の毛等を吸込口１０６へと押し出す。つまり、糸屑や髪の毛が刷毛内部に入り込んで直接リブ１２０ａ，１２０ｂに接触できなくても、吸込口１０６へ導くことが出来る。吸込口１０６の近傍（回転清掃体１０７の中央部）は吸引風速が早いため、髪の毛や糸ごみは回転清掃体１０７から引き剥がされ、吸込口１０６から掃除機本体２０１の集塵部へと搬送される。
【００３３】
また、本実施例の回転清掃体１０７には、図６（回転清掃体１０７の断面図）に示すように刷毛部材１３１と刷毛部材１３１との間にブレード１３２を配置しているので、糸屑等が巻き付きにくくなっている。そして、ブレード１３２の最外周回転軌跡１７０は、刷毛部材１３１の最外周回転軌跡１７１より小さくなるようにしている。さらにブレード
１３２はリブ１２０ａ，１２０ｂと接触しない位置としている。ブレード１３２とリブ
１２０ａ，１２０ｂが接触すると接触抵抗が大きいので、回転清掃体１０７の回転力が低下し、回転清掃体１０７により塵埃の掻き揚げ性能が低下してしまう。本実施例では、回転清掃体１０７の清掃部材として、刷毛部材１３１とブレード１３２とを用いるようにし、さらに刷毛部材１３１のみリブ１２０ａ，１２０ｂと接触するようにしているので、回転清掃体への糸屑等の巻き付きと防止すると共に、回転清掃体１０７の回転力低下を防止し、回転清掃体１０７による塵埃の掻き揚げ性能を向上することができる。
【００３４】
以上説明した本発明の実施例では、リブ１２０ａ，１２０ｂを回転清掃体１０７の上方側に位置するように配置した例を示したが、リブ１２０ａ，１２０ｂの設置位置は回転清掃体１０７の上方に限られるものではない。回転清掃体１０７の前方或いは後方に設けるようにしても良く、吸口体２０６の形態に合わせ適宜設置場所を選択すれば良い。
【００３５】
また、本実施例では吸込口１０６を吸口体２０６のほぼ中央に位置させ、吸込口１０６の左右両側にリブ１２０ａ，１２０ｂを配置しているが、例えば吸込口を左右の何れか一方に寄せて、これと反対側にリブを設けるようにしても良い。
【００３６】
また、回転清掃体１０７の回転方向を本実施例とは逆に方向、すなわち吸口体２０６を後退させる方向に回転させるようにしても良い。その際、例えばリブ１２０ａ，１２０ｂを本実施例と同様に回転清掃体１０７の上方に配置した場合、本実施例とは逆向きとなる。リブ１２０ａ，１２０ｂは、回転清掃体１０７の回転方向に対しリブ１２０ａ，120ｂの前方側を吸込口１０６側に傾斜させて配置する。このようにリブ１２０ａ，１２０ｂを配置することにより、吸い込んだ糸屑等を速やかに吸込口１０６へ搬送することができ、回転清掃体１０６への糸屑等に巻き付きを防止することができる。
【図面の簡単な説明】
【００３７】
【図１】本発明の一実施例に係る吸口体２０６の上面図である。
【図２】本発明の一実施例に係る電気掃除機の外観斜視図である。
【図３】吸口体２０６の分解斜視図である。
【図４】吸口体２０６の下面図である。
【図５】図１におけるＡ−Ａ断面図である。
【図６】回転清掃体１０７の断面図である。
【図７】回転清掃体１０７とリブ１２０ａ，１２０ｂとの関係を示す斜視図である。
【符号の説明】
【００３８】
１０１…下ケース、１０２…上ケース、１０７…回転清掃体、１２０…リブ、１３０…回転基部、１３１…刷毛部材、１３２…ブレード。
【図１】
2008000382.tif 000003
【図２】
2008000382.tif 000004
【図３】
2008000382.tif 000005
【図４】
2008000382.tif 000006
【図５】
2008000382.tif 000007
【図６】
2008000382.tif 000008
【図７】
2008000382.tif 000009